Podtech/llm-jp-corpus-v4-ja_patent huggingface dataset:
(57)【要約】【課題】  網戸に替えて透明プラスチック製の省エネ戸を設置する場合、取替えに労力が必要であり省エネ戸のコストもかかり普及の妨げとなる。【解決手段】  戸枠を共通に使用し、透明なプラスチック板と網のみを取替えれるようにすることにより、手間が省けコストの低減を図ることができる。【選択図】    図１
0003121618.tif 000002
【実用新案登録請求の範囲】
【請求項１】
網戸取付け用金具を利用して取付けることのできる金枠あるいはプラスチック枠に、虫の進入を防ぐ網あるいは空気の移動を防ぐ透明プラスチック板を取替え取付け可能とした網戸兼用省エネ戸。
【請求項２】
金枠あるいはプラスチック枠とプラスチック板の取付けを蝶番などによりプラスチック板の開閉ができるようにした省エネ戸。
【考案の詳細な説明】
【技術分野】
【０００１】
本考案は、虫進入防止用網戸と透明プラスチックを使用した放熱量の低減と結露防止用の省エネ戸と使い分けができる網戸兼用省エネ戸に関する。
【背景技術】
【０００２】
網戸に替えて透明プラスチック戸を設置することで、ガラス戸と透明プラスチック戸間の空気層の断熱効果を利用してガラス戸からの放熱および結露の低減を図る省エネ戸の提案がなされている。
【考案の開示】
【考案が解決しようとする課題】
【０００３】
季節により網戸と省エネ戸を取替えるには労力とコストがかかり、省エネによる地球温暖化対策としての普及の妨げとなるという課題がある。
【０００４】
また、ガラス戸は一般に複数個取付けられているのが、網戸の数はガラス戸の数より少ない。省エネ効果を上げるためにはガラス戸全数に省エネ戸を取付ける必要があるが、網戸取付け金具の性質上、ガラス戸と同数の省エネ戸を設置すると省エネ戸の移動ができず、従ってガラス戸のように省エネ戸の開閉ができないと空気の入替えや人の出入りが出来ないという課題がある。
【課題を解決するための手段】
【０００５】
この課題を解決するための請求項１の考案は、戸枠を共通にし網あるいはプラスチック板を嵌め込み式にすることにより網あるいはプラスチック板のみの取替えを可能にする。
【０００６】
また、請求項２の考案は、請求項１の省エネ戸のうち少なくとも１個の省エネ戸は室内空気の入替えおよび人の出入り口用として使用できるようプラスチック板を開閉可能にした省エネ戸にする。
【考案の効果】
【０００７】
請求項１の考案により、戸枠を共通に使用し網とプラスチック板の取替えのみを行うことで作業が容易となりコストの低減も可能となる。
【０００８】
また、開閉できるプラスチック板の取付けにより、空気の入替えおよび人の出入りが可能となる。
【考案を実施するための最良の形態】
【０００９】
本考案に係わる省エネ戸１０は、図１に示す通りガラス戸と省エネ戸の隙間を埋めるシールパッキン７の付いた戸枠１と網枠３と網枠に取付けられた網４と網枠を受ける受け５および押さえ６により構成される。
【００１０】
図２は開閉できる省エネ戸を示すもので、戸枠１と透明プラスチック板２とは蝶番８で結合され押さえ６により固定されており室内空気の入替えおよび人の出入り口として使用する。
【図面の簡単な説明】
【００１１】
【図１】本考案に係わる網戸兼用省エネ戸を網戸として使用する場合の外形図である。
【図２】透明プラスチック板を使用した省エネ戸において、プラスチック板を開閉できるようにした網戸兼用省エネ戸の外形図である。
【符号の説明】
【００１２】
１  戸枠
２  プラスチック板
３  網枠
４  網
５  受け
６  押さえ
７  シールパッキン
８  蝶番
１０  網戸兼用省エネ戸
【図１】
0003121618.tif 000003
【図２】
0003121618.tif 000004
【手続補正書】
【提出日】平成18年2月13日(2006.2.13)
【手続補正１】
【補正対象書類名】実用新案登録請求の範囲
【補正対象項目名】請求項２
【補正方法】変更
【補正の内容】
【請求項２】
金枠あるいはプラスチック枠とプラス地区板の取付けを蝶番などによりプラスチック板の開閉ができるようにした請求項１記載の省エネ戸。
(57)【要約】      （修正有）【課題】たばこの箱とマッチ箱を同時に共有できる。【解決手段】マッチ箱に切り込み４を入れ、切込みを広げて煙草箱の中味と外味の間に差し込む。【選択図】図２
0003121615.tif 000002
【実用新案登録請求の範囲】
【請求項１】
煙草の箱に取り付ける切込みを入れたマッチ箱
【考案の詳細な説明】
【考案が解決しようとする課題】
【０００１】煙草とマッチ箱を常時、同時に共有出来る様にするには、どのようにしたらいいか問題点があった。
【課題を解決するための手段】
【０００２】このマッチ箱は、箱の外味の裏の表面に、煙草箱に取り付けるよう図２に示すように切り込み切り込みを広げて煙草箱に取り付ける、マッチ箱である。
【考案の効果】
【０００３】煙草とマッチ箱を同時に共有する利便性がある。
【図面の簡単な説明】
【図１】マッチ箱の平面図である。
【図２】マッチ箱の外味の裏側の表面に切り込みを入れた図である。広げて煙草の箱の表面に差込むことが出来る。
【図３】煙草箱の外味と中味の間にマッチ箱を取り付けた側面図である。
【符号の説明】
【図１】
１  マッチ箱の中味
２  マッチ箱の外味
【図２】
３  マッチ箱の外味の裏側の表面
４  マッチ箱の外味の裏側表面の切り込部分
【図３】
５  煙草箱の側面
６  マッチ箱の側面
切り込みを広げて、煙草の箱の中味と外味の間に差し込む。
【図１】
0003121615.tif 000003
【図２】
0003121615.tif 000004
【図３】
0003121615.tif 000005
(57)【要約】【要約書】【課題】ズボン下着用の際に感じるムレによる不快感の解消と、排尿時における操作性の改善。【解決手段】ズボン下本体排尿側に開口部を設けてムレの防止と排尿時の操作性の向上を図る【選択図】図１
0003121617.tif 000002
【実用新案登録請求の範囲】
【請求項１】
ズボン下本体（１）の排尿側に開口部（２）を設けた構成を特徴とするズボン下。
【考案の詳細な説明】
【技術分野】
【０００１】本考案は快適さを求めたズボン下に関する。
【背景技術】
【０００２】ズボン下は寒い季節、特に足腰が冷えるときに着用する。また、パンツの上に重ねて穿くことになる。
【考案が解決しようとする課題】
【０００３】パンツの上にズボン下を穿くと股の部分が熱を持ちやすく、温度上昇によるムレによって不快感が増す。又、排尿時重なった排尿口の操作に手間取り失敗することがある。
【課題を解決するための手段】
【０００４】本考案は上記問題点を解決する為、ズボン下本体の前部排尿側に開口部を設け、股の部分の不快なムレを防ぎ、排尿時の操作性の悪さを解消する。
【考案の効果】
【０００５】従来のズボン下はパンツの上に重ねて穿く為、股の部分に熱がこもり不快感が増していたが、開口部を設けることによってこれを解消することが出来る。又、重なった排尿口が無い為、排尿時の操作性が著しく改善され失敗が少なくなる。
【考案を実施するための最良の形態】
【０００６】以下本考案の実施例の構成と作用について説明する。
【実施例】
【０００７】図１は実施例にかかるズボン下の正面図である。従来正面排尿部分が二枚重ねになっているが、図１のようにズボン下本体１に開口部２を設けることにより快適性と操作の利便性を両立することが出来る。
【作用】
【０００８】実施例では図１に示された開口部２を設けることにより股の部分に熱がこもる不快感を解消でき、排尿時の操作性を向上させることが出来る。
【図面の簡単な説明】
【０００９】
【図１】実施例にかかるズボン下の正面図である。
【図１】
0003121617.tif 000003
(57)【要約】【課題】          本考案はキャリングケース本体にスキミング防止フィルムを縫いつけ、もしくは接着させ、携帯電話のデータをスキミングから防止し、盗難などの不安から安全に携帯させ、携帯電話を保護するキャリングケースを提供する事。【解決手段】      本考案はキャリングケース本体１の生地と生地の間にスキミング防止フィルムを貼り付けもしくは縫い付けしキャリングケースとして成型した事により当該キャリングケースへ携帯電話を入れて持ち運ぶ事でおサイフ携帯と言われている携帯電話端末などからスキミングと言われるデータの盗難を防ぐ事ができる。【選択図】図２
0003121612.tif 000002
【実用新案登録請求の範囲】
【請求項１】
携帯電話のキャリングケースにおいてキャリングケース本体に使用する生地と生地の間にスキミング防止フィルもを貼り付け、もしくは縫い付けしてキャリングケースとして成型しスキミングの被害から防止し持ち運びや携帯するキャリングケース。
【考案の詳細な説明】
【技術分野】
【０００１】  本考案はキャリングケース、特に携帯電話機などの携帯用電子機器に関する。
【背景技術】
【０００２】  近年、スキミングと言われるデータを盗む被害が急増しており、携帯電話の分野においても、おサイフケータイなどと言われる携帯電話自体におサイフの機能が付いた商品が発売されておりスキミングの被害が予想されている。
また、携帯電話を持ち運ぶ為のキャリングケースにおいては各社工夫を凝らした商品はあるが、スキミングを防止できるキャリングケースはなかった。
【考案の開示】
【考案が解決しようとする課題】
【０００３】  近年急増するスキミングの被害は各方面で深刻な被害になっており、携帯電話の分野においてもおサイフケータイなどと言われる携帯電話の機能で、簡単に支払いの決済ができるこのシステムは支払いの簡単さゆえに今後急激に普及すると思われる。しかしその簡便さゆえに非接触でもデータのスキミングが可能であり、常にそのスキミングの被害を心配するために、安心してその携帯電話をおサイフ代わりに持つ事ができない人達もいる。その不安感などを取り除く為や、被害に合わない為の防止策を考えるものである。
【課題を解決するための手段】
【０００４】  本考案は、上述の課題を解決する為に、携帯電話機などの電子機器を保護携帯するキャリングケースにおいて、ケースの内側特定部にスキミングを防止する為のデータシールド素材を縫いつけ、あるいは接着させることによりキャリングケース自体のデザインにも影響せずにスキミングの被害を防止する事ができ、問題点を解決できる。
【考案実施の形態】
【０００５】  キャリングケースの内側部自体にスキミング防止のデータシールド素材を縫いつけ、あるいは接着することや、キャリングケースを製造する過程で素材と素材の内側に縫いつけ、あるいは接着させ、一枚の生地としそれを用いてキャリングケースを成型すれば、自由なデザインが可能となり色や形が自在になる。
【実施例】
【０００６】  以下、添付図面に従って一実施例を説明する。１は耐久性の皮革等適宣素材にて成型されたキャリングケース本体、２は皮革等の敵宣素材、３はスキミングを防止する素材で、このスキミングを防止する素材をキャリングケースの生地と生地の間に貼り付け、もしくは縫い付けしている。４はベルト等に取り付けられるベルトクリップである。【０００７】  本考案の一実施例は上術の如き構成からなるものであるから、携帯電話本体を入れて持ち運ぶキャリングケースとしては勿論であるが、スキミング防止素材をキャリングケースの内側部に貼り付け、あるいは接着することで、常時持ち運び時にスキミングなどの被害を防止する。【０００８】  以上、詳細の本考案によるスキミング防止素材でのキャリングケース実施の形態を説明したがここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  上述の様に、本考案のスキミング防止キャリングケースは携帯電話本体を入れて持ち運ぶ事は勿論、スキミングと言われているデータの盗難からおサイフケータイなどと言われている機能を安心して使用する事ができ、また常時持ち運び時のデータの盗難などを防止する事ができる。
【図面の簡単な説明】
【００１０】
【図１】本考案のキャリングケースの正面図である。
【図２】本考案の一部切欠断面図である。
【符号の説明】
【００１１】１  キャリングケース本体
２  皮革等の適宣素材
３  スキミング防止フィルム
４  ベルトクリップ
【図１】
0003121612.tif 000003
【図２】
0003121612.tif 000004
(57)【要約】      （修正有）【課題】ドアーや扉でバッグや帽子等を整理収納する時に小スペースで良い時にはフレームを内側にスライド伸縮させる事により小スペースで整理収納できる伸縮式ドアーハンガーを提供。【解決手段】フレームを左右に分割し接続部品により左右のフレームを接続し内外にスライド伸縮する事を可能にした。【選択図】図４
0003121653.tif 000002
【実用新案登録請求の範囲】
【請求項１】
左フレームと右フレームの間に接続部品上段と接続部品下段があり前記左フレームと前記右フレームを接続固定し随意に内外にスライド伸縮するハンガー。
【考案の詳細な説明】
【技術分野】
【０００１】本考案は収納の分野でドアーや扉等を利用してバッグや帽子等を掛けたり吊り下げて整理収納する時に利用するハンガーに関するものである。
【背景技術】
【０００２】従来から帽子を掛けたりバッグを吊り下げて整理収納するハンガーがあった。
【考案の開示】
【考案が解決しようとする課題】
【０００３】従来の物は帽子やバッグ等を整理収納する時に巾が固定のため大スペースが必要な時も小スペースで良い時も同じ大スペースが必要である。
小スペースでよい時には従来固定であったフレームをスライド部品により内側にスライド伸縮させる事により従来の約５０パーセントのスペースで整理収納する事を可能にした。
【課題を解決するための手段】
【０００４】従来の物はフレームが固定の為大スペースが必要な時も小スペースで良い時も同じ大スペースが必要である。
本考案は左右のフレームを接続部品にて接続し随意にスライド伸縮する事により小スペースで良い時には従来の約５０パーセントで整理収納する事を可能にした。
本考案はこれらの問題点を解決する為に考案された物である。
【考案の効果】
【０００５】ドアーや扉でバッグや帽子等を整理収納する時に小スペースで良い時にはフレームを内側にスライド伸縮させる事により小スペースで整理収納できる。
【考案を実施するための最良の形態】
【０００６】［図１］正面図
［図２］左側面図
［図３］右側面図
［図１〜３］の符号
▲１▼      左フレーム
▲１▼−２  左ドアーフック
▲１▼−３  接続部品上段
▲１▼−４  ストッパーキャップ上段
▲２▼      右フレーム
▲２▼−２  右ドアーフック
▲２▼−３  接続部品下段
▲２▼−４  ストッパーキャップ下段
［図４］従来の物の図及び本考案の物の図
図中の符号▲１▼及び▲２▼を▲１▼−３及び▲２▼−３で接続し内外にスライド伸縮させる。
本考案は以上述べた実施例に限定される物ではない。
【図面の簡単な説明】
【図１】正面図
【図２】左側面図
【図３】右側面図
【図４】従来の物の図及び今回考案の物の図
【符号の説明】
▲１▼      左フレーム
▲１▼−２  左ドアーフック
▲１▼−３  接続部品上段
▲１▼−４  ストッパーキャップ上段
▲２▼      右フレーム
▲２▼−２  右ドアーフック
▲２▼−３  接続部品下段
▲２▼−４  ストッパーキャップ下段
【図１】
0003121653.tif 000003
【図２】
0003121653.tif 000004
【図３】
0003121653.tif 000005
【図４】
0003121653.tif 000006
(57)【要約】【課題】和服着用時に装飾品として使用する帯留は、現在ほとんどのものが紐類を通す，紐通し環をある程度幅の広い紐類でも通るように製作されている、しかし幅の狭い紐類を通したときには上下左右にずれることがある。【解決手段】帯留本体１の裏側に３、３′、５、５′のような突起物あるいは４，６のような表面に滑り止めを施した隆起物を設けることにより２の紐通し環から挿入された紐類が前述の突起物あるいは隆起物を乗り越えるかたちとなり、紐類を締め付けたときには前述の突起物あるいは隆起物の頂上部分が紐類に圧着し帯留本体１が上下左右にずれるのを防ぐことができる。【選択図】図５
0003121651.tif 000002
【実用新案登録請求の範囲】
【請求項１】
帯留の裏側における縦の中心線に沿って並んだ複数の突起物を設けた帯留
【請求項２】
帯留の裏側における縦の中心線上に、表面に滑り止めを施した隆起物を設けた帯留
【請求項３】
帯留の裏側における横の中心線に沿って並んだ複数の突起物を設けた帯留
【請求項４】
帯留の裏側における横の中心線上に、表面に滑り止めを施した隆起物を設けた帯留
【考案の詳細な説明】
【技術分野】
【００１】本考案は和服着用時に帯の上を押さえる帯締め紐を通して用いる帯留に関するものである。
【背景技術】
【００２】帯を押さえる帯締め紐の幅は様々で本来なら幅に合った、細長い開口部を設けた挿入部（以後、紐通し環という）を持つ帯留であれば着用時でも帯留は、ずれない。しかし現状は幅広の帯締め紐に合わせて帯留裏側に、ある程度大きめの紐通し環を取り付けたものがほとんどである。
【考案の開示】
【考案が解決しようとする課題】
【００３】本考案は帯締め紐の幅に関わらず、幅の広いものから狭いものまでを通すことのできる大きめの紐通し環を持ちながら、幅の狭い帯締め紐を通した時にでも上下、左右にずれることがない帯留を得ることを目的とする。
【課題を解決しようとするための手段】
【００４】本考案にかかる帯留は帯留裏側に設置された紐通し環と紐通し環の間に帯締め紐を押さえることのできる、滑り止めとなる複数の突起物あるいは表面に滑り止めを施した隆起物があることを特徴とする帯留である。
【作用】
【００５】本考案においては、着用時に帯留の裏側に設けられた複数の突起物あるいは表面に滑り止めを施した隆起物を片方の紐通し環から入った帯締め紐が乗り越えて向こう側へ通る形となり突起物あるいは隆起物の頂上が帯締め紐と圧着するので紐通し環より幅の狭い帯締め紐を通したときでも上下左右にずれることを防止できる。
【実施例】以下図面に基いて、この帯留の１実施例について説明する。【００６】図１ないし図２において１は帯留本体で２は紐通し環である。
３および３′は突起物で４は表面に滑り止めを施した隆起物である。【００７】図５においては、片方の紐通し環２から入った帯締め紐７が３および３′あるいは４を乗り越えて反対側の紐通し環へ抜ける形になる。【００８】その後、帯を押さえるために帯締め紐を締めつけると、帯締め紐は乗り越えた突起物あるいは隆起物の頂上によって圧着されることになり帯留は、ずれなくなる。【００９】図３そして図４についても前述と同様の動作をすれば同じ効果が得られるものである。
【考案の効果】
【０１０】本考案は、以上説明したとおり帯留の裏側に複数の突起物あるいは滑り止めを施した隆起物があるため、幅広用の紐通し環を備えた帯留にもかかわらず幅の狭い帯締め紐を使用したときでも上下左右のずれを気にせず和装を楽しむことができる。
【図面の簡単な説明】
【図１】縦の中心線に沿って並んだ複数の突起物を備えた本考案の帯留の背面からの斜視図である。
【図２】縦の中心線上に滑り止めを施した隆起物を備えた本考案の帯留の背面からの斜視図である。
【図３】横の中心線に沿って並んだ複数の突起物を備えた本考案の帯留の背面からの斜視図である。
【図４】横の中心線上に滑り止めを施した隆起物を備えた本考案の帯留の背面からの斜視図である。
【図５】本考案の帯留に紐類を通した状態を示した背面からの斜視図である。
【符号の説明】
１      帯留本体
２      紐通し環
３、３′帯留本体裏側の縦の中心線上に設けられた突起物
４      帯留本体裏側の縦の中心線上に設けられた滑り止めを施した隆起物
５、５′帯留本体裏側の横の中心線上に設けられた突起物
６      帯留本体裏側の横の中心線上に設けられた滑り止めを施した隆起物
７      紐類
【図１】
0003121651.tif 000003
【図２】
0003121651.tif 000004
【図３】
0003121651.tif 000005
【図４】
0003121651.tif 000006
【図５】
0003121651.tif 000007
(57)【要約】【課題】紙パックの開口部は、全面が接着となっており開口部を開くのにかなりの力を必要とし、又きれいに開かないときがある。【解決手段】接着部分（２）の外側（両面）にミシン目を入れ、開口部を開きやすくした。【選択図】図１
0003121652.tif 000002
【実用新案登録請求の範囲】
【請求項１】
飲料用紙パックの接着部分の外側（両面）に、ミシン目を入れ開き易くし他に付加するものが無いことを特徴とする紙パック。
【考案の詳細な説明】
【技術分野】
【０００１】本考案は、飲み口の接着部分の外側の両面にミシン目を入れた飲料用の紙製パックに関する。
【背景技術】
【０００２】従来、飲料用の紙パッックの飲み口部及び開口部は、全面が接着になっておりそれを押し開く事はかなりの力を必要とし、又きれいに開かないときが多々あり問題点である。
【考案が解決するための課題】
【０００３】本案は、他に付加するものが無くても、今までよりも少ない力で簡単にきれいに開け易くしようとするものである。
【課題を解決するための手段】
【０００４】接着部分の外側の両面に複数のミシン目を入れた。
【考案を実施するための最良の形態】
【０００５】本案は、従来の問題点を改善したもので、接着部分（２）の両面にミシン目を入れる事により、容易に開くことが出来る。
尚、本考案は他に付加するものが無いのでコスト面やリサイクル面でも有利であり、実施は本体を裁断するときに行なうと良い。
ミシン目の形状は、平行線（３）斜線（４）でも良い。
【考察の効果】
【０００６】ミシン目がある事によって、開口する時の力が少なくなり、容易に開くことが出来る、飲料用の紙製パッックである。
【図面の簡単な説明】
【０００７】
【図１】  本考案の斜視図
【図２】  本考案のミシン目（平行線）の拡大図
【図３】  本考案のミシン目（斜線）の拡大図
【符号の説明】
【０００８】１  紙製パック本体
２  接着部分
３  ミシン目（平行線）
４  ミシン目（斜線）
５  飲み口
【図１】
0003121652.tif 000003
【図２】
0003121652.tif 000004
【図３】
0003121652.tif 000005
(57)【要約】      （修正有）【課題】遠赤外線効果を効果的に引き出すブラックシリカの粉末を樹脂で板状にしたものを提供する。【解決手段】ブラックシリカの粉末を樹脂で板状にする事で大きさ、厚さも自由になり、コンクリート板や骨材を蓄熱層とする事でブラックシリカの遠赤外線効果を少ない量で効果的に引き出すことができる。【選択図】図１
0003121601.tif 000002
【実用新案登録請求の範囲】
【請求項１】
ブラックシリカの粉末を樹脂で板状にした物
【請求項２】
上記ブラックシリカ板をコンクリ−トに張り合わせた物
【請求項３】
骨材にブラックシリカの粉末を樹脂でからめ板状にした物
【考案の詳細な説明】
【技術分野】
【０００１】本考案はブラックシリカの粉末を樹脂等で板状にする事で、サウナ室や浴槽に張ることができるようにした物
【背景技術】
【０００２】これまではコンクリ−トと混合し研ぎ出しや、シート状にしたものがあるが、樹脂で板状にしたものは無かった。
【考案の開示】
【考案が解決しようとする課題】
【０００３】コンクリ−トと混合した物は量を多く使い、又研ぎ出ししないとその効果が現れにくい欠点があった
シートは柔らかく板として支持ができない
【課題を解決するための手段】
【０００４】ブラックシリカの粉末を樹脂で板状にした物
【考案の効果】
【０００５】ブラックシリカの粉末を樹脂で板状にする事で、少ない量でブラックシリカの効能を効果的に引き出すことができる
【考案を実施するための最良の形態】
【０００６】コンクリート板を蓄熱層として其の上に張るか、骨材に絡め板状にして骨材を蓄熱層にしてもよい
【産業上の利用可能性】
【０００７】（１）サウナ室に張ることで遠赤外線の効果で短時間で汗が出るようになる
（２）浴槽に張ることで遠赤外線の効果でぬるいお湯でもよく温まる
（３）コンクリ−ト板を蓄熱層として其の上に張り、直接其の上に寝て発汗しても良い
【図面の簡単な説明】
【０００８】
【図１】請求項１の正面図と側面図である
【図２】請求項２の正面図と側面図である
【図３】請求項４の正面図と側面図である
【符号の説明】
【０００９】１  コンクリ−ト板
２  骨材にシリカを絡めたもの
【図１】
0003121601.tif 000003
【図２】
0003121601.tif 000004
【図３】
0003121601.tif 000005
【手続補正書】
【提出日】平成17年12月1日(2005.12.1)
【手続補正１】
【補正対象書類名】実用新案登録請求の範囲
【補正対象項目名】全文
【補正方法】変更
【補正の内容】
【実用新案登録請求の範囲】
【請求項１】
ブラックシリカの粉末を樹脂で板状にしたブラックシリカ板
【請求項２】
請求項１に記載のブラックシリカ板をコンクリ−ト等蓄熱層に張り合わせた積層体
【請求項３】
請求項１に記載のブラックシリカ板を作る際ブラックシリカを骨材として絡めたブラックシリカ板
(57)【要約】【課題】咬合彩得時に下顎咬合床に装着し顎位及び咬合高径を簡単に彩得する。咬合彩得用ＢＴチューブを提供する。【解決手段】下顎咬合床に装着し、注入口よりシリコンを注入し、すなわちチューブ内に流体を閉じ込め咬合高径、顎位を、流体を硬化させ固定して彩得する事を特徴とする咬合彩得用ＢＴチュウーブ【選択図】図３
0003121609.tif 000002
【実用新案登録請求の範囲】
【請求項１】
下顎咬合床に咬合彩得用ＢＴチューブを付着し注入口よりシリコンを注入する、すなわちチューブ内に流体を閉じ込め、流体の圧力で咬合高径、咬合位を、硬化させ固定する事を特徴とする咬合彩得用ＢＴチューブ
【請求項２】
上顎咬合床の両側臼歯部に、咬合位を決めるための顎位固定ピンを装着し上下顎咬合位を固定することを特徴とする咬合彩得用ＢＴチューブ
【考案の詳細な説明】
【技術分野】
【０００１】この発明は下顎咬合床にＢＴチューブを装着し咬合彩得を簡便に正確に行うものである
【背景技術】
【０００２】義歯製作に当たって咬合彩得は、大変高度な技術と経験を必要とし未熟な歯科医にとっては困難を極めます。そこでこの装置により誰でも簡単に咬合彩得を行うことが出来ます。
【考案の開示】
【考案が解決しようとする課題】
【０００３】従来の方法による咬合彩得は上下顎の咬合床を噛み合せが安定するまで、上下顎の咬合床のワックスを削り、軟化させ又ワックスを盛り足しながら咬合高径を決め中心咬合位を見ながら咬合位を彩得する大変困難な作業で咬合彩得が行われる為完全とは言えず、狂いの出ることも多々あります。咬合彩得用ＢＴチューブを使用して咬合彩得を行うとシリコンの注入量により咬合高径を自由に変える事が出来ます。シリコンは流体であり咬合圧は上下の顎底全体に均等圧として加わります。すなわち流体力学により加圧された力は、全方位に均等に伝わる原理を応用したものです。又咬合位を固定する為に上顎臼歯部に付けた顎位固定ピンにより上下顎の咬合床は正確に固定され口腔内より取り出すことが出来ます。咬合彩得を簡単、正確に行うことを特徴とする咬合彩得用ＢＴチューブです。
【課題を解決するための手段】
【０００４】規定の制作方法により製作された上顎咬合床を図２−ｄ下顎には図２−ｅを口腔内に装着し、咬合させます。図１−２よりシリコンをＢＴチューブ内へ注入します。
計測により適正な咬合高径に達したら注入を止め硬化をまちます・このとき上顎咬合提に付した図２−６顎位固定ピンにより、上下咬合位は固定され口腔外に取り出しても図２−６により咬合位は再セットする事が出来ます。咬合彩得を簡単、正確に行うことを特徴とする咬合彩得用ＢＴチューブである。
【考案の効果】
【０００５】咬合彩得は技量と経験を必要とする大変難しい操作ですが、咬合彩得用ＢＴチュウーブを使用することにより誰でも簡単に正確な咬合彩得が出来ます。
【考案を実施するための最良の形態】
【０００６】以下、本考案の実施の形態を説明する。
（イ）  図１−ａを下顎咬合床にワックスにより固着し図１−２が正中側に成るよう図１−４を製作します。
（ロ）  図２−ｄ  を口腔内へ次に図２−ｅを口腔内へ挿入した後、咬合させ図１−２よりシリコンを注入することにより図３−ｆに示すように咬合圧はシリコンが流体であるため均等圧として上下顎提に圧接されクリステンセンシ現象の無い正確な咬合彩得が行えます。上顎咬合床に付けた図２−６により咬合位は固定されます
【図面の簡単な説明】
【０００７】
【図１】本考案の斜視図
【図２】本考案の斜視図
【図３】本考案の実施例を示す斜視図
【符号の説明】
【０００８】    １  ＢＴチューブ
２  注入口
３  断面中空
４  下顎咬合床
５  上顎咬合床
６  顎位固定ピン
【図１】
0003121609.tif 000003
【図２】
0003121609.tif 000004
【図３】
0003121609.tif 000005
(57)【要約】      （修正有）【課題】舗道設置工事の際、車両進入部に設置された緑石等が通行車両横断時生ずる交番荷重より浮き、跳ね上がり、ひび割れ等の損傷が生じている現実があり、本考案によりこの因果を断ち切り共用寿命の延長、安全性の向上、費用対効果によるコスト縮減等の実現を図る。【解決手段】損傷の生じた縁石等を撤去後、既設コンクリート基礎表層をはつり取った不陸構造とし、不陸構造表層に特殊配合の合成樹脂、ケイ砂配合の樹脂コンクリート床版を形成した構造とし、あらかじめ補修用縁石等底面の下地処理を施し、特殊配合の合成樹脂を含浸硬化させた補修用縁石等を樹脂コンクリート床版上に接着固定することにより、既設コンクリート基礎部、樹脂コンクリート床版部、縁石等が一体化されることにより、樹脂コンクリート硬化完後は通行車両などが縁石上を横断するときに生じる外力に頑強に抵抗できる三次元立体の一体化された補修構造となることを特徴とした縁石等補修構造。【選択図】図１
0003121608.tif 000002
【実用新案登録請求の範囲】
【請求項１】
通車両の進入を因果としてひび割れ、跳ね上がり、浮き等の損傷の生じた縁石等を撤去後、既設コンクリート基礎表層をはつり取り不陸構造とし、不陸構造表層に特殊配合の合成樹脂、ケイ砂等配合の樹脂コンクリート床版を形成した構造とし、あらかじめ縁石等底面に下地処理を施し特殊配合の合成樹脂を含浸硬化させた縁石等を樹脂コンクリート床版上に接着固定することにより、既設コンクリート基礎部、樹脂コンクリート床版部、縁石等が積み重なった三層構造とする。
【請求項２】
続いて三層構造部を強制加熱させ樹脂コンクリートを強制加熱硬化させ、目地部は既調合速効性セメントを充填し、施工完了後は即日開放でき、通行車両時の外力等に頑強に抵抗できる三次元立体の一体化した補修構造となることを特徴とした三次元立体の縁石等補修構造。
【考案の詳細な説明】
【技術分野】
【０００１】本考案は，土木構造物である舗道設置時、歩車道境界ブロック等設置の際、車両進入用に設置された縁石等が通行車両の横断時生ずる交番荷重により生じる浮き、跳ね上がり、ひび割れ現象を、本考案により早期に補修させるための緊急対策用の補修構造であり，土木工事における道路構造物の維持管理の分野。
【背景技術】
【０００２】縁石損傷部の補修に際し、従来技術の繰り返しである既設コンクリート基礎上敷モルタル床版を施し、その上に縁石等を設置しても、日々通行車両の多い環境に設置されている縁石等は車両横断時に生ずる交番荷重により短期間の内に浮き、跳ね上がり、ひび割れ現象が発生するという現実があり、補修完了後の養生にも時間がかかり早期開放ができず費用対効果においても効果が少ないという欠点がある。
【考案の開示】
【考案が解決しようとする課題】
【０００３】本考案は従来の技術ではなしえなかった緊急性をようする環境に設置された損傷の生じた縁石等補修後の早期共用開始を図り、又施工後のメンテナンスフリーの持続による縁石等の共用寿命の大幅な延長を実現させることにより費用対効果によるコスト縮減を実現させる事にある。
【課題を解決するための手段】
【０００４】本考案は（０００２）の課題を解決するために（請求項１）（請求項２）記述の施工手順にて縁石等の補修を実施する事により従来技術の欠点を解決する為の手段とする。
【考案の効果】
【０００５】による補修では短期間で縁石等損傷されるという悪循環になるため、本考案実施により共用寿命の大幅な延長が実現し、又メンテナンスフリーの持続により費用対効果によるコスト縮減が実現し、安全性の向上も図れる。
【考案を実施するための最良の形態】
【０００６】横断車両の多いコンビニ店等の車両進入用に設置された縁石等は車両横断時の交番荷重の影響でひび割れ、浮き、跳ね上がり等の劣化現象が生じやすく、これらの環境に頑強に抵抗できる縁石等の構造とすることが重要であり、本考案である三次元立体の縁石補修構造の施工手順により補修することが補修後の安全性、共用寿命の観点からも最良の形態となる。
【実施例】
【０００７】以下、考案による施工実施例を、図面を参照に説明する。
図１三次元立体の縁石等補修構造の断面図。【０００８】通行車両が舗道横断することによる交番荷重の因果で浮き、跳ね上がり、ひび割れ等の損傷の生じた縁石等及び敷モルタル撤去後、４、コンクリート基礎表面をはつり取りＡ，不陸構造とし、Ａ，不陸構造とすることによりコンクリート表層の面積増大効果を図る。【０００９】続いて４，不陸構造表層に特殊配合の合成樹脂、無機フィラー、ケイ砂配合による３、樹脂コンクリート床版を形成させ、その上にあらかじめ１、縁石等底面を下地処理後、特殊配合の合成樹脂を含浸硬化させた１、縁石等を接着固定させ強制加熱硬化させる。【００１０】強制加熱硬化完了後、１、縁石等のＢ、目地部は２、既調合モルタルを充填させ、施工完了後は（図１）の様に三次元立体の縁石等補修構造となり車両横断時、１、縁石等に生じる交番荷重に頑強に抵抗きる補修構造となり、即日共用開始できる。【００１１】又共用開始後も従来技術による補修のように短期間で１、縁石等が損傷する事はなくメンテナンスフリーの持続により費用対効果によるコスト縮減と安全性の向上が実現
【産業上の利用可能性】浮き、跳ね上がり、ひび割れ等の生じた縁石等は、全国いたるところで散見でき、縁石等の設置環境により緊急性を要する補修が要求される事があり、従来同様の補修では施工後の共用開始までに養生時間を必要とし、又共用開始後、短期間に縁石等に再度浮き、跳ね上がり、ひび割れ等が生じ、この悪循環を断ち切り施工後の縁石等の共用寿命の延長を図る為の補修施工が本考案が提示する補修構造であり、今後土木工事の維持管理補修部門においておおいに利用される事になると確信している。
【図面の簡単な説明】
【図１】    本考案である三次元立体の縁石等補修構造の断面図。
【符号の説明】
１、縁石等
２、既調合モルタル充填
３、樹脂コンクリート床版
４、既設コンクリート基礎
Ａ，不陸構造
【図１】
0003121608.tif 000003
【手続補正書】
【提出日】平成18年2月3日(2006.2.3)
【手続補正１】
【補正対象書類名】実用新案登録請求の範囲
【補正対象項目名】全文
【補正方法】変更
【補正の内容】
【実用新案登録請求の範囲】
【請求項１】
通行車両の進入を因果としてひび割れ、跳ね上がり、浮き等の損傷の生じた縁石等を撤去後、既設コンクリート基礎表層をはつり取った不陸構造とし、不陸構造表層に特殊配合の合成樹脂、ケイ砂配合の樹脂コンクリート床版を形成した構造とし、あらかじめ補修用縁石等底面の下地処理を施し、特殊配合の合成樹脂を含浸硬化させた補修用縁石等を樹脂コンクリート床版上に接着固定することにより、既設コンクリート基礎部、樹脂コンクリート床版部、縁石等が一体化されることにより、樹脂コンクリート硬化完後は通行車両などが縁石上を横断するときに生じる外力に頑強に抵抗できる三次元立体の一体化された補修構造となることを特徴とした縁石等補修構造。
(57)【要約】      （修正有）【課題】多種多様な形状のホイールや、ホイール径の違う場合もキャンバー角の測定を可能にするとともに、コンパクトに折畳めることにより、収納性を向上させる自動車のキャンバー角測定に使用するキャンバー角測定器を提供する。【解決手段】キャンバー角測定器の本体１の組み合わせで、接合する部分に調節が可能なネジ７、８、９を使用し、コンパクトに折畳むことが可能となり、トランク内部等の小さなスペースに、収納できるとともに、アーム板５、６を広げることにより、多種多様な形状のホイールも測定が可能となり、アングル板２の中央部分に長さを調節できる長い穴１ａを設けることにより、ホイール径の違う場合も測定が可能となる。【選択図】図１
0003121630.tif 000002
【実用新案登録請求の範囲】
【請求項１】
自動車のキャンバー角測定器の本体に折畳みの機能を設けるとともに、測定器の本体の中央部分に伸縮の機能を設け、ホイールのセンター部分、または、ホイールディスクがリムより突出している形状のホイールの測定が可能であり、多種類のホイール径に対応でき、折り曲げ可能であり、コンパクトに収納できるところを特徴とするキャンバー角測定器
【考案の詳細な説明】
【技術分野】
【０００１】  本考案は、自動車のキャンバー角測定に使用するキャンバー角測定器に関する。
【考案の開示】
【考案が解決しようとする課題】
【０００２】  ホイールの形状、ホイール径は多種多様であり、ホイールのセンター部分やホイールディスクがリムより突出している場合は測定が困難な場合がある。または限られたホイール径しか測定できないため、折畳み式にすることにより、トランク内部等の小さなスペースに収納が容易となるとともに、前述の欠点を解決しようとするものである。
【課題を解決するための手段】
【０００３】  自動車のキャンバー角測定器の本体に折畳みの機能を設けるとともに、測定器の測定器の本体中央部分に伸縮の機能を設け、ホイールのセンター部分、またはホイールディスクがリムより突出している形状のホイールの測定が可能であり、多種類のホイール径に対応でき、折り曲げ可能であり、コンパクトに収納できるように問題を解決している。
【考案の効果】
【０００４】  上述の様に、本考案の折畳み式伸縮キャンバー角測定器は、折畳めることにより、収納性が向上することは勿論、ホイールのセンター部分やホイールディスクがリムよりも突出したホイールも測定できるとともに、伸縮の機能を設けるためにホイール径が違う場合も測定できる。
【考案を実施するための最良の形態】
【０００５】  本考案に係る折畳み式キャンバー角測定器の本体１は、図１に示すように接合している部分に、接合の方法として調節が可能なネジを設け、アングル板２の中央部分に長い穴１ａを設けてあり、アングル板３には真円の穴２ａを設けているので、この２枚のアングル板を組み合わせているネジ８を調節し、伸縮することによって、ホイール径が違う場合も測定が可能となり、また、アーム板５、６と、これらのアングル板と接合している部分にもネジ７、９を設け、そのネジ７、９を調節することにより、アーム板４、５を折畳むことが可能となる。
【実施例】
【０００６】  以下、添付図面に従って一実施例を説明する。アーム板５、６とアングル板２、３を組み合わせているネジ７、９を各々調節し、アーム板５、６を９０度に広げる。【０００７】  アングル板２とアングル板３は長い穴１ａ、真円の穴２ａに通しているネジ８によって接合されており、このネジ８を調節することによって、アングル板２とアングル３を伸縮させ、ホイール径に合わせる。【０００８】  前記の長い穴１ａとネジ８の調整によりホイール径の違う場合は微調整する。【０００９】  使用後は、ネジ８を調節しアングル板２とアングル板３を縮め、ネジ７、９を調節することによりアーム板５とアーム板６が折畳め、小さなスペースでも収納が容易となる。
【図面の簡単な説明】
【００１０】
【図１】  本考案の折畳み式伸縮キャンバー角測定器の一実施例を示す図である。
【図２】  本キャンバー角測定器の背面図である。
【図３】  本キャンバー角測定器の平面図である。
【図４】  本キャンバー角測定器の底面図である。
【図５】  本キャンバー角測定器のオモリ、糸を省略し、折畳んだ正面図である。
【図６】  本キャンバー角測定器の使用状態を示す参考図である。
【符号の説明】
【００１１】  １  キャンバー角測定器本体
２  長い穴を設けたアングル板
３  真円の穴を設けたアングル板
４  アングル板
５  糸の取り付け部分を設けたアーム板
６  目盛り部分を設けたアーム板
７  ネジ
８  ネジ
９  ネジ
１０  オモリ
１１  糸
１２  タイヤ
１３  ホイールディスク
１４  ホイール
１５  センター部分
１６  リム
１ａ  長い穴
２ａ  真円の穴
１ｂ  ナット
２ｂ  ナット
３ｂ  ナット
【図１】
0003121630.tif 000003
【図２】
0003121630.tif 000004
【図３】
0003121630.tif 000005
【図４】
0003121630.tif 000006
【図５】
0003121630.tif 000007
【図６】
0003121630.tif 000008
(57)【要約】      （修正有）【課題】葱類等の束ねて小口切りする作業を容易に、且つ安全迅速に行い、又、使用後の洗浄、片付けが安全で簡単に出来て、故障がなく安価で製作出来る補助具を提供する。【解決手段】コの字形に曲げたガイド１で、葱等の食材のばらつきを防ぐ。押さえローラー２前後２本で食材の安定を図る。後方の押さえローラー１本を親指等ですこしづつ回転させる事でガイドを移動させる。包丁ガイド部４を設けることで、市販の包丁を使い作業を容易に、且つ安全迅速にする。構造を簡素化することで、洗浄、片付けを容易にする。構造を簡素化することで、故障の要因をなくし安価で製作出来る。【選択図】図１
0003121628.tif 000002
【実用新案登録請求の範囲】
【請求項１】
コの字形に曲げたガイドに、すべり止めを付けた押さえローラーを前後２本装着した葱切り補助具。
【考案の詳細な説明】
【技術分野】
【０００１】  本考案は、葱等の小口切りに関する補助具である。
【背景技術】
【０００２】  フードプロセッサー、複雑かつ高価な切断機等がある。
【考案の開示】
【考案が解決しようとする課題】
【０００３】  葱類等の束ねて小口切りする作業は、手元の食材がばらつき非常に切りにくく危険な作業である。この作業を容易に、且つ安全迅速に行うことが出来ないか、使用後の洗浄、片付けが簡単に出来ないか、誰にでも安全に使用出来ないか、又、故障がなく安価で製作出来ないか、等の課題に取り組んだものです。従来の技術では電力が要る、構造が複雑である、専用の刃物が必要である、洗浄の際、分解が必要なので時間がかかり危険である、又、高価である等、中小規模の厨房には不向きである。
【課題を解決するための手段】
【０００４】  コの字形に曲げたガイドに、すべり止めを付けた押さえローラーを前後２本装着する。
【考案の効果】
【０００５】  本考案は、構造が簡単なので安価で製作できる上、市販の包丁が使えるので安全である。洗浄にも時間がかからず安全である。
【考案を実施するための最良の形態】
【０００６】  コの字形に曲げたガイドを葱等の束にかぶせ、上から押さえローラーを前後２本入れる。
【実施例】
【０００７】  まな板の上に葱等の材料を束にして横向きに置き、コの字に曲げた１ガイドを上から被せた後、１ガイドの３押さえローラー装着部の切り込みに２押さえローラーを前後２本とも上から落とし込む、後ろの２押さえローラーを親指又は人差し指で少しづつ回転させると同時に４包丁ガイド部に包丁を当てながら小口切りする。その際、切ると同時に包丁で４包丁ガイド部を少し後方へ押しながら切っていくと自然に１ガイドが後方に移動します。少しの練習で好みの厚さに手早く切る事ができます。
【産業上の利用可能性】
【０００８】
【図面の簡単な説明】
【０００９】
【図１】  １ガイドに、２押さえローラーを装着した時の正面図である。
【図２】  図１の、側面図である。
【符号の説明】
【００１０】  １  ガイド
２  押さえローラー
３  押さえローラー装着部
４  包丁ガイド部
【図１】
0003121628.tif 000003
【図２】
0003121628.tif 000004
(57)【要約】【課題】  庭木や鉢植えに掛ける雪囲いであって、組立、分解、収納保管が容易な雪囲いを提供する。【解決手段】  主柱となる４本の金属パイプと横棒となる２本の金属パイプと、両者を連結する４本の釘状棒とによりなり、丈夫であって組立、分解、収納保管が容易であり、季節になると簡単に組立てられ、雪が終ると分解して保管収納が容易で毎年の雪囲いが容易となる。【選択図】    図１
0003121682.tif 000002
【実用新案登録請求の範囲】
【請求項１】
先端を尖状（４）に成形加工した主柱（１）となる４本の金属パイプと、全体を偏平に加工し、両端近くに釘穴（５）を穿設した２本の横棒パイプ（２）と、両パイプを接続する４本の釘状棒（３）とよりなり、４本の主柱（１）を立設し、この上に２本の横棒パイプ（２）を対向して配し、この主柱（１）と横棒パイプ（２）を釘状棒（３）を挿入して立体形に組立て、横棒パイプ（２）上に木片（６）を置き並べたことを特徴とした雪囲い。
【考案の詳細な説明】
【技術分野】
【０００１】
本考案は、植込みや庭木、鉢物などに掛ける組立式の雪囲いに関するものである。
【背景技術】
【０００２】
雪の多い地方では、毎年雪が近づいて来ると、植込みや庭木に雪囲いや雪吊りをして木を雪からまもることが行われるが、この作業には資材を集める手間が掛っていて、庭師を頼むことや、休日を返上して作業をするため煩わしいことであった。
【特許文献１】特開２００４−２４２６３０号公報
【考案の開示】
【考案が解決しようとする課題】
【０００３】
休日を返上するとしても、素人では仲々大変な仕事であり、また季節が過ぎてこのかたづけにも苦労を要している。この点に鑑み考案者は、簡単な部材をいくつか集めること、またこの部材が繰返して毎年使えることを目的として本考案を考えた。
【課題を解決するための手段】
【０００４】
本考案は、このため６本の金属パイプと４本のネジ棒により一組の雪囲い部材としたもので、雪の季節が来ると、これを持ち出して組立て、雪の季節が終ると分解して仕舞うことができる簡単な構造の雪囲いを提供する。
【考案の効果】
【０００５】
本考案の雪囲いは、金属パイプを組立てて作るため丈夫であり、毎年同じように作れるために手間いらずで、従来の雪囲いに比較して、各家庭でも使い易く、また分解保管がしやすいという使用上卓越した効果を奏する。
【考案を実施するための最良の形態】
【０００６】
図に示すように組立、取外しが容易であり、パイプは束ねて保管ができ、何年でも使用できるため経済的な点からみても雪囲いとして最良である。
【実施例】
【０００７】
添付図面について本考案の雪囲いを説明すると、図１は組立完了の実施例であり、図２に示すように主柱（１）となるパイプは地中に埋入立設するため先端を尖形（４）に形成し、この主柱（１）の上に対向して渡す横棒パイプ（２）は偏平に成形し、この両端近くに鉢穴（５）を形成する。この釘穴（５）は図中にあっては１個示されているが、２，３個設けることもできる。
【０００８】
そして両パイプ（１），（２）の接合には釘状棒（３）を用いる。この釘状棒（３）は頭部に凸状体（６）を形成した５寸釘のような長さのある棒体であって、横棒パイプ（２）の釘穴（５）から主柱パイプに挿入して接続する。
【０００９】
図１の実施例図に示すように４本の主柱パイプ（１）を地中に埋設固定し、横棒パイプ（２）を渡し、この接続点を図５のように釘状体（３）で接結する。
【００１０】
そして横棒パイプ（２）上に木片Ｂを置き並べて完成させる。この木片Ｂは近くにある薪材やザラ板片、園芸用の支柱等が利用でき、移動落下等の心配があれば荒縄等で軽く縛ることもできる。また雪の季節が終われば解体して収納し来季に備えることとすることによって、毎年季節が来ると同じような手順で雪囲いが作れる。
【産業上の利用可能性】
【００１１】
上述のように本考案の雪囲いは、部材を一束として保管ができ、雪の季節が来ると取出して組立てるだけで、手間もいらず、しかも毎年同じように使用できるので便利であり、庭木や鉢植のある家での利用に大いに貢献できる。
【図面の簡単な説明】
【００１２】
【図１】組立ての実施例図
【図２】主柱パイプの正面図
【図３】横パイプの正面図
【図４】釘状棒の正面図
【図５】主柱と横棒の接続部の詳細図
【符号の説明】
【００１３】
１  主柱金属パイプ
２  偏平に加工した横棒パイプ
３  釘状棒
４  尖状先端部
５  釘穴
６  釘状棒の頭
Ｂ  板片
【図１】
0003121682.tif 000003
【図２】
0003121682.tif 000004
【図３】
0003121682.tif 000005
【図４】
0003121682.tif 000006
【図５】
0003121682.tif 000007
(57)【要約】【課題】呼吸運動や上肢の日常動作等に伴う胸囲の変化に対する、乳房支持機能を有するブラジャー等の乳房カップ部を有する衣類を提供する。【解決手段】乳房カップ部３、前面土台部１、及び後面土台部２等から構成されるブラジャー等の乳房カップ部を有する衣類の、前面土台部１に伸縮機能を備え、後面土台部２には非伸縮機能を備えた。さらに、乳房支持具４の乳房カップ外側部４ａの一部を後面土台部２と直結させる構造を特徴とした、乳房支持機能を有するブラジャー等の乳房カップ部を有する衣類。【選択図】図１
0003121641.tif 000002
【実用新案登録請求の範囲】
【請求項１】
乳房カップ部を有する衣類で、呼吸運動等による胸囲変化に伴う乳房の動きに対し、乳房を支持する機能を備える目的で、前面土台部に伸縮機能を有する伸縮素材を備え、後面土台部に非伸縮機能を有する非伸縮素材を備え、乳房支持具の乳房カップ外側部の一部を後面土台部と直結させる構造を特徴とする、ブラジャー等の乳房カップ部を有する衣類。
【考案の詳細な説明】
【技術分野】
【０００１】本考案は、ブラジャー等の乳房カップ部を有する衣類に関するもので、特に、呼吸運動や上肢の日常動作等に伴う胸囲の変化に対する、乳房支持機能を有するブラジャー等の乳房カップ部を有する衣類に関するものである。
【背景技術】
【０００２】呼吸運動や上肢の日常動作等に伴う胸囲の変化は胸郭を構成する骨である、胸骨、肋骨及び胸椎の動きに由来し、その構造により呼吸運動等に伴う胸骨の垂直方向の動きは胸椎の垂直方向の動きより大きくなる。すなわち、呼吸運動等に伴う胸囲の変化は胸郭の後面ではなく胸郭の前面で主に生じる。言い換えれば、呼吸運動等に伴う胸囲の変化は胸郭全体に均一に生じるものではなく、乳房が存在するブラジャー等の乳房カップ部を有する衣類の前面土台部が覆う前胸部が最大となる。しかし、従来のブラジャー等の乳房カップ部を有する衣類では、前胸部の前面土台部に非伸縮素材を備え、背部の後面土台部に伸縮素材を備える構造であった。このことは、従来のブラジャー等の乳房カップ部を有する衣類の前面及び後面土台部の非伸縮及び伸縮機能は呼吸運動等に伴う胸囲の生理的変化に対応するには不適合であったことを意味する。さらに、前面土台部の上部に備わる、乳房支持具及び乳房カップ部の乳房支持機能も不足する。結果として、従来のブラジャー等の乳房カップ部を有する衣類には胸囲の変化に対する総合的な乳房支持機能が不足していた。
【考案の開示】
【考案が解決しようとする課題】
【０００３】このため、従来のブラジャー等の乳房カップ部を有する衣類では、呼吸運動や上肢の日常動作等に伴う胸囲の変化に対する乳房支持機能が不足していた。本考案は、呼吸運動や上肢の日常動作等に伴う胸囲の変化に対する乳房支持機能を有するブラジャー等の乳房カップ部を有する衣類を提供することを目的とする。
【課題を解決するための手段】
【０００４】そこで、乳房カップ部、前面土台部、及び後面土台部等から構成されるブラジャー等の乳房カップ部を有する衣類に、呼吸運動や上肢の日常動作等に伴う胸囲の生理的変化に合理的に対応するため前面土台部は伸縮機能を有する伸縮素材を備える構造とし、後面土台部には非伸縮機能を有する非伸縮素材を備える構造した。さらに、乳房支持具の乳房カップ外側部の一部を後面土台部と直結させる構造とすることで、胸囲の変化に伴う乳房支持機能が改善され、胸囲の変化に対する乳房支持機能を有するブラジャー等の乳房カップ部を有する衣類を提供できる。［図１］
【考案の効果】
【０００５】本考案のブラジャー等の乳房カップ部を有する衣類は、呼吸運動や上肢の日常動作等に伴う胸囲の変化に対する乳房支持機能を有するブラジャー等の乳房カップ部を有する衣類を提供できる。
【考案を実施するための最良の形態】
【０００６】以下、図面を用い本考案の実施例を説明するが、本考案はこれに限定されるものではない。【０００７】［図１］は本考案をブラジャーに用いた一実施例である。前述したように、従来のブラジャーの前面土台部１に非伸縮素材を備え、背部の後面土台部２に伸縮素材を備えた構造は呼吸運動等に伴う胸囲の生理的変化に対応するには不適合であった。そこで、乳房カップ部３、前面土台部１、及び後面土台部２等から構成されるブラジャーの、前面土台部１は伸縮機能を有する伸縮素材を備える構造とし、後面土台部２には非伸縮機能を有する非伸縮素材を備える構造した。さらに、前面土台部１の上部に備わる、乳房支持具４及び乳房カップ部３の乳房支持機能も不足するため、乳房支持具４の乳房カップ外側部４ａの一部を後面土台部２と直結させる構造とすることで、胸囲の変化に伴う乳房支持機能が得られ、ブラジャー等の乳房カップ部を有する衣類の胸囲の変化に対する乳房支持機能が不足するという問題を解決した。
【図面の簡単な説明】
【０００８】
【図１】本考案の一実施例であるブラジャーの正面図である。
【符号の説明】
【０００９】１    前面土台部
２    後面土台部
３    乳房カップ部
４    乳房支持具
４ａ  乳房支持具の乳房カップ外側部
４ｂ  乳房支持具の乳房カップ内側部
【図１】
0003121641.tif 000003